(57)【要約】【課題】無線通信の通信性能の低下を抑制することができる照明器具を提供する。【解決手段】照明器具１は、前方に光を出射するように発光モジュール２０が載置される載置面１１を有する器具本体１０と、無線通信を行うことで、発光モジュール２０を制御するための制御信号を受信する無線通信モジュール５０とを備え、無線通信モジュール５０は、基板５１と、基板５１に設けられ、制御信号を受信する送受信部５２とを有し、送受信部５２が器具本体１０の前方に位置し、かつ、基板５１が器具本体１０の載置面１１に交差する姿勢で、器具本体１０に固定されている。【選択図】図３
2018056007.tif 000002
【特許請求の範囲】
【請求項１】
前方に光を出射するように発光部が載置される載置面を有する器具本体と、
無線通信を行うことで、前記発光部を制御するための制御信号を受信する無線通信部とを備え、
前記無線通信部は、
基板と、
前記基板に設けられ、前記制御信号を受信する受信部とを有し、
前記受信部が前記器具本体の前方に位置し、かつ、前記基板が前記器具本体の載置面に交差する姿勢で、前記器具本体に固定されている
照明器具。
【請求項２】
前記器具本体には、前記載置面を貫通する貫通孔が設けられ、
前記無線通信部は、前記貫通孔に挿入されている
請求項１に記載の照明器具。
【請求項３】
前記基板は、長尺であり、
前記受信部は、前記基板の長手方向の一方端側に偏った位置に設けられ、
前記無線通信部は、さらに、前記基板の長手方向の他方端側に偏った位置に設けられ、前記受信部が受信した制御信号を処理する制御部を有し、
前記載置面は、前記長手方向において、前記受信部と前記制御部の少なくとも一部との間に位置している
請求項２に記載の照明器具。
【請求項４】
さらに、
前記載置面の反対側に配置され、前記発光部を点灯させるための電力を供給する電源ユニットを備え、
前記電源ユニットは、回路基板を有し、
前記無線通信部は、コネクタを介して前記回路基板に接続されている
請求項３に記載の照明器具。
【請求項５】
前記載置面を正面視した場合において、
前記発光部の形状は、環状であり、
前記無線通信部は、環状の前記発光部の内側に位置している
請求項１〜４のいずれか１項に記載の照明器具。
【請求項６】
前記基板は、前記載置面に直交し、
前記基板の主面は、環状の前記発光部の径方向に沿っている
請求項５に記載の照明器具。
【発明の詳細な説明】
【技術分野】
【０００１】
本発明は、無線通信機能を有する照明器具に関する。
【背景技術】
【０００２】
従来、無線通信機能を有する照明器具が知られている。例えば、特許文献１には、ホームエネルギーマネジメントシステムに接続する無線通信装置を搭載するシーリングライトが開示されている。
【先行技術文献】
【特許文献】
【０００３】
【特許文献１】特開２０１４−１５００３２号公報
【発明の概要】
【発明が解決しようとする課題】
【０００４】
しかしながら、上記従来の照明器具では、発光部で発生する熱の影響を受けて無線通信の通信性能が低下する恐れがある。
【０００５】
そこで、本発明は、無線通信の通信性能の低下を抑制することができる照明器具を提供することを目的とする。
【課題を解決するための手段】
【０００６】
上記目的を達成するため、本発明の一態様に係る照明器具は、前方に光を出射するように発光部が載置される載置面を有する器具本体と、無線通信を行うことで、前記発光部を制御するための制御信号を受信する無線通信部とを備え、前記無線通信部は、基板と、前記基板に設けられ、前記制御信号を受信する受信部とを有し、前記受信部が前記器具本体の前方に位置し、かつ、前記基板が前記器具本体の載置面に交差する姿勢で、前記器具本体に固定されている。
【発明の効果】
【０００７】
本発明に係る照明器具によれば、無線通信の通信性能の低下を抑制することができる。
【図面の簡単な説明】
【０００８】
【図１】実施の形態に係る照明器具の斜視図である。
【図２】実施の形態に係る照明器具の分解斜視図である。
【図３】実施の形態に係る照明器具のカバーを取り外した状態を示す斜視図である。
【図４】図３の領域ＩＶを拡大して示す実施の形態に係る照明器具の部分拡大斜視図である。
【図５】図３の領域ＩＶをＶＩ−ＶＩ線で切断したときの断面を示す実施の形態に係る照明器具の断面斜視図である。
【図６】図３のＶＩ−ＶＩ線における実施の形態に係る照明器具の断面図である。
【図７】図６の領域ＶＩＩを拡大して示す実施の形態に係る照明器具の部分拡大断面図である。
【図８】実施の形態に係る無線通信モジュール及び樹脂ケースの分解斜視図である。
【図９】実施の形態に係る照明器具の通信範囲を模式的に示す下面図である。
【発明を実施するための形態】
【０００９】
以下では、本発明の実施の形態に係る照明器具について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１１】
以降、本明細書において、「前方」とは、照明器具が光を出射する方向（光出射方向）であって、光が取り出される光取り出し方向（すなわち、照明方向）であり、「後方」とは、「前方」の反対の方向である。
【００１２】
また、本明細書及び図面において、ｘ軸、ｙ軸及びｚ軸は、三次元直交座標系の三軸を示している。各実施の形態では、ｚ軸方向を鉛直方向（上下方向）とし、ｚ軸に垂直な方向（ｘｙ平面に平行な方向）を水平方向としている。なお、ｚ軸の正方向を鉛直下方としている。
【００１３】
（実施の形態）
［概要］
まず、実施の形態に係る照明器具１の概要について、図１〜図３を用いて説明する。
【００１４】
図１は、本実施の形態に係る照明器具１の斜視図である。図２は、本実施の形態に係る照明器具１の分解斜視図である。図３は、本実施の形態に係る照明器具１のカバー４０を取り外した状態を示す斜視図である。
【００１５】
図１〜図３に示される照明器具１は、例えば、住宅などの建物の造営材に設置される。一例として、照明器具１は、建物の天井に固定されるシーリングライトであり、建物の内部の空間を照明する。具体的には、照明器具１は、天井に固定された引っ掛けシーリングボディに取り付けられることによって天井に設置される。
【００１６】
図１〜図３に示すように、照明器具１は、器具本体１０と、発光モジュール（発光部）２０と、光源カバー３０と、カバー４０と、樹脂ケース６０と、電源ユニット７０とを備える。図１〜図３には示されていないが、照明器具１は、さらに、樹脂ケース６０に収納された無線通信モジュール５０を備える（図５などを参照）。
【００１７】
以下、図１〜図３を参照しながら、さらに、図４〜図８を用いて、照明器具１の各構成部品について詳細に説明する。
【００１８】
図４は、図３の領域ＩＶを拡大して示す照明器具１の部分拡大斜視図である。図５は、図３の領域ＩＶをＶＩ−ＶＩ線で切断したときの断面を示す照明器具の断面斜視図である。図６は、図３のＶＩ−ＶＩ線における照明器具１の断面図である。図７は、図６の領域ＶＩＩを拡大して示す照明器具１の部分拡大断面図である。図８は、本実施の形態に係る無線通信モジュール５０及び樹脂ケース６０の分解斜視図である。
【００１９】
なお、各図において、ｚ軸の負側が天井側であり、ｚ軸の正側が床側を表している。また、説明の都合上、各図において、照明器具１を通常の使用時の姿勢とは上下逆の姿勢で図示している。
【００２０】
［器具本体］
器具本体１０は、発光モジュール２０を支持する筐体である。器具本体１０は、前方に光を出射するように発光モジュール２０が載置される載置面１１を有する。器具本体１０は、さらに、電源ユニット７０を支持する。また、図３〜図５に示すように、器具本体１０には、樹脂ケース６０に収納された無線通信モジュール５０が固定されている。
【００２１】
器具本体１０は、図２及び図３に示すように、載置面１１と、貫通孔１２と、周縁部１３と、貫通孔１４とを有する。本実施の形態では、器具本体１０は、例えば、扁平な形状を有する。具体的には、器具本体１０の正面視形状は、中央に貫通孔１４が設けられた円盤状（すなわち、円環状）である。器具本体１０を正面視（下面視）した場合において、載置面１１は、貫通孔１４を囲むように、貫通孔１４の全周に亘って円環状に設けられている。周縁部１３は、載置面１１を囲むように全周に亘って周縁部１３が設けられている。周縁部１３の後方側（天井側）には、ウレタンなどのクッション材１５が設けられている。中央の貫通孔１４には、引掛シーリングボディに取り付けるためのアダプタが挿入される。
【００２２】
載置面１１は、器具本体１０の床側の主面であり、発光モジュール２０が載置されて固定される面である。図５及び図６に示すように、載置面１１は、その外周に沿って環状に設けられた周縁部１３よりも前方（ｚ軸の正側）に位置している。これにより、載置面１１の反対側には、電源ユニット７０を収納するためのスペースが設けられている。
【００２３】
器具本体１０には、図２に示すように、載置面１１を貫通する貫通孔１２が設けられている。具体的には、貫通孔１２は、略矩形のスリットである。貫通孔１２の下面視における長手方向は、環状の載置面１１の径方向（具体的には、ｘ軸方向）に沿っている。
【００２４】
貫通孔１２は、無線通信モジュール５０及び樹脂ケース６０を挿入するための孔である。貫通孔１２には、無線通信モジュール５０が内部に収納された樹脂ケース６０が略垂直に挿入される。貫通孔１２の下面視形状と、樹脂ケース６０の断面形状（ｘｙ断面）とが略一致する。
【００２５】
器具本体１０は、金属材料を用いて形成されている。つまり、器具本体１０は、無線信号（電波）を通さない材料を用いて形成されている。具体的には、器具本体１０は、例えばアルミニウム板又は鋼板などの板金をプレス加工することによって所定の形状に成型される。器具本体１０の一方側の面（載置面１１を含む面）には、反射性を高めて光取り出し効率を向上させるために、白色塗料が塗布されていてもよく、あるいは、反射性金属材料が蒸着されていてもよい。
【００２６】
［発光モジュール（発光部）］
発光モジュール２０は、照明器具１の器具本体１０に取り付けられた発光部の一例であり、白色などの所定の色（波長）の光を発する。発光モジュール２０は、前方（すなわち、下方）に光を出射する。発光モジュール２０は、器具本体１０の載置面１１に載置されている。
【００２７】
本実施の形態では、発光モジュール２０は、複数設けられている。つまり、照明器具１の発光部は、複数の発光モジュール２０から構成されている。具体的には、図２に示すように、照明器具１は、発光部として、４つの発光モジュール２０を有する。４つの発光モジュール２０は、環状（ドーナツ状）になるように、互いに隣接して配置されている。４つの発光モジュール２０は互いに同じ構成を有する。なお、照明器具１は、発光部として、１つの円環状の発光モジュールを備えてもよい。
【００２８】
図２、図５及び図７に示すように、複数の発光モジュール２０はそれぞれ、光源基板２１と、複数の発光素子２２とを有する。
【００２９】
光源基板２１は、複数の発光素子２２を実装するための実装基板である。光源基板２１は、例えば、プリント配線基板であり、光源基板２１の一方の面には、金属配線が所定形状でパターン形成されている。図５及び図７に示すように、光源基板２１は、発光素子２２が床面側を向くようにして、器具本体１０の載置面１１に載置されている。光源基板２１の平面視形状は、例えば、所定幅のドーナツ形状を周方向に４等分した形状である。光源基板２１は、器具本体１０の載置面１１に、ネジ（図示せず）を用いて固定されている。
【００３０】
光源基板２１は、例えば、絶縁性樹脂材料からなる樹脂基板、表面が樹脂被膜された金属材料からなるメタルベース基板、セラミック材料の焼結体であるセラミック基板、又は、ガラス材料からなるガラス基板などである。光源基板２１は、リジッド基板に限らず、フレキシブル基板でもよい。光源基板２１の表面には、金属配線を覆うように絶縁被膜としてレジスト膜が形成されていてもよい。
【００３１】
発光素子２２は、ＬＥＤ（Ｌｉｇｈｔ  Ｅｍｉｔｔｉｎｇ  Ｄｉｏｄｅ）などの、所定の電力により発光する半導体発光素子である。発光素子２２は、例えば、単色の可視光を発するベアチップであり、具体的には、通電されれば青色光を発する青色発光ＬＥＤチップである。複数の発光素子２２は、光源基板２１の主面上において、周方向に沿って、複数列又はマトリクス状に配置されている。
【００３２】
なお、複数の発光素子２２はそれぞれ、封止部材（図示せず）によって個別に封止されている。あるいは、複数の発光素子２２は、素子列毎に一括封止されてもよく、あるいは、光源基板２１上の全ての発光素子２２が一括封止されてもよい。
【００３３】
封止部材は、例えば、シリコーン樹脂などの透光性樹脂材料を主成分として含み、発光素子２２からの光の波長を変換する波長変換材を含んでいる。波長変換材は、例えば、蛍光体粒子であり、具体的には、黄色蛍光体粒子である。本実施の形態では、発光素子２２が発する青色光と、黄色蛍光体粒子が青色光によって励起されて発する黄色光とが混合されることにより、発光モジュール２０は白色光を発する。なお、封止部材には、シリカなど（ＳｉＯ２）の光拡散材（光散乱粒子）を含んでいてもよい。
【００３４】
なお、発光モジュール２０は、ＳＭＤ（Ｓｕｒｆａｃｅ  Ｍｏｕｎｔｅｄ  Ｄｅｖｉｃｅ）型のモジュールでもよい。具体的には、光源基板２１上にパッケージ型のＬＥＤ素子（ＳＭＤ型ＬＥＤ素子）が実装されていてもよい。パッケージ型のＬＥＤ素子は、例えば、凹部（キャビティ）を有する樹脂製の容器と、凹部の中に実装されたＬＥＤチップと、凹部内に封入された封止部材（蛍光体含有樹脂）とを備える。
【００３５】
本実施の形態では、発光モジュール２０は、調光機能及び調色機能の少なくとも一方を有してもよい。例えば、発光モジュール２０は、０％（消灯）〜１００％（全点灯）の範囲から選択された調光比の光を出射する。調光比は、光の強度（放射照度）を示すパラメータの一例である。また、例えば、発光モジュール２０は、２７００Ｋ〜６５００Ｋの範囲から選択された色温度の光を出射する。色温度は、光の色合いを示すパラメータの一例である。調光比及び色温度を選択する指示は、無線通信モジュール５０が受信する制御信号に含まれる。
【００３６】
なお、発光モジュール２０は、赤色光（Ｒ）、緑色光（Ｇ）及び青色光（Ｂ）の各々を独立して出射してもよい。発光モジュール２０は、制御信号によって各々の光出力が制御（ＲＧＢ制御）されてもよい。
【００３７】
［光源カバー］
光源カバー３０は、透光性を有する透光カバーである。図５〜図７に示すように、光源カバー３０は、カバー４０の内側に配置されている。光源カバー３０は、発光モジュール２０を覆っている。
【００３８】
光源カバー３０は、発光モジュール２０が有する複数の発光素子２２が発した光を透過させる。本実施の形態では、光源カバー３０は、発光素子２２から発せられた光の配光を制御する配光制御機能を有する。
【００３９】
具体的には、図２〜図７に示すように、光源カバー３０は、複数のレンズ部３１を有する。複数のレンズ部３１は、複数の発光素子２２と一対一に対応して設けられている。レンズ部３１は、例えば、対応する発光素子２２からの光の配光角を拡大する。すなわち、レンズ部３１は、光を発散させる機能を有する。
【００４０】
図３及び図４に示すように、光源カバー３０は、複数の光源基板２１の各々の内周部と外周部とを覆うようにして、器具本体１０の載置面１１に、ネジ３２を用いて固定されている。
【００４１】
光源カバー３０は、透光性を有する樹脂材料を用いて形成されている。光源カバー３０の材料は、例えば、アクリル（ＰＭＭＡ）、ポリカーボネート（ＰＣ）、ポリエチレンテレフタレート（ＰＥＴ）又はポリ塩化ビニルなどである。
【００４２】
なお、本実施の形態では、光源カバー３０は、透明であり、光拡散性を有していないが、これに限らない。光源カバー３０は、光拡散性（光散乱性）を有してもよい。光源カバー３０に光拡散性を持たせることにより、発光素子２２からの光のつぶつぶ感（輝度ムラ）を抑制することができる。この場合、光源カバー３０は、例えば、乳白色であり、光拡散粒子を分散させた樹脂材料によって形成することができる。また、光源カバー３０の内面又は外面に乳白色の光拡散膜を形成してもよく、光源カバー３０に複数の光拡散ドット又は微小凹凸（シボ）を形成してもよい。
【００４３】
［カバー］
カバー（グローブ）４０は、透光性を有する透光カバーである。図１及び図２に示すように、カバー４０は、照明器具１の外郭を構成する外郭カバーである。カバー４０は、器具本体１０、発光モジュール２０、光源カバー３０及び樹脂ケース６０（無線通信モジュール５０）を覆っている。図２及び図６に示すように、本実施の形態では、カバー４０は、扁平なドーム形状に形成されている。具体的には、カバー４０は、光出射側（前方）に、中央程、前方に突出するように緩やかな曲面（光出射面）を有している。
【００４４】
カバー４０は、発光素子２２が発する光を透過させる。具体的には、カバー４０は、発光素子２２から発せられ、光源カバー３０を透過した光を透過させる。
【００４５】
カバー４０は、透光性を有する樹脂材料を用いて形成されている。カバー４０の材料は、例えば、アクリル（ＰＭＭＡ）、ポリカーボネート（ＰＣ）、ポリエチレンテレフタレート（ＰＥＴ）又はポリ塩化ビニルなどである。
【００４６】
カバー４０は、光拡散性（光散乱性）を有してもよい。これにより、カバー４０に入射する光を拡散（散乱）させることができ、カバー４０の全体から略均一に光を外部に取り出すことができる。この場合、カバー４０は、例えば、乳白色であり、光拡散粒子を分散させた樹脂材料によって形成することができる。また、カバー４０の内面又は外面に乳白色の光拡散膜を形成してもよく、カバー４０に複数の光拡散ドット又は微小凹凸（シボ）を形成してもよい。
【００４７】
カバー４０は、器具本体１０に着脱自在に取り付けられる。取り付け方法については、特に限定されないが、例えば、カバー４０は、器具本体１０の周縁部に設けられた係止部に引っかかるようにして固定される。具体的には、カバー４０と器具本体１０とはそれぞれ、互いに係止する係止部及び被係止部を有し、係止部と被係止部とが係止することで固定される。
【００４８】
［無線通信モジュール（無線通信部）］
無線通信モジュール５０は、無線通信を行うことで、照明器具１の動作を制御するための制御信号を受信する無線通信部の一例である。制御信号は、例えば、ユーザが操作するリモコン又はスマートフォンなどの携帯端末（操作端末）から送信される無線信号である。
【００４９】
本実施の形態では、無線通信モジュール５０は、受信機能だけでなく、送信機能も有する。例えば、無線通信モジュール５０は、受信した制御信号を、他の照明器具などに送信する。つまり、無線通信モジュール５０は、操作端末から他の照明器具への制御信号の中継を行ってもよい。これにより、操作端末から送信される制御信号を、操作端末から離れた照明器具（操作端末の通信範囲内に位置しない照明器具）に受信させることができる。
【００５０】
無線通信は、電波（すなわち、可視光及び赤外光を除く）を用いた通信である。無線通信モジュール５０は、例えば、Ｗｉ−Ｆｉ（登録商標）、Ｂｌｕｅｔｏｏｔｈ（登録商標）又はＺｉｇＢｅｅ（登録商標）などの無線通信規格に基づいて無線通信を行う。
【００５１】
本実施の形態では、無線通信モジュール５０は、電源ユニット７０と電気的に接続され、発光モジュール２０の点灯又は消灯を制御するための照明制御信号を受信する。無線通信モジュール５０は、発光モジュール２０の調光又は調色を制御するための照明制御信号を受信してもよい。例えば、照明制御信号には、発光モジュール２０を点灯させるための点灯指示、発光モジュール２０を消灯させるための消灯指示、又は、発光モジュール２０の調光比若しくは色温度を選択する指示などが含まれる。
【００５２】
無線通信モジュール５０は、図５、図７及び図８に示すように、基板５１と、送受信部５２と、制御部５３と、コネクタ５４とを有する。
【００５３】
基板５１は、例えば、プリント配線基板であり、送受信部５２及び制御部５３を電気的に接続する金属配線（図示せず）が設けられている。本実施の形態では、基板５１は、長尺であり、正面視形状が長方形である。
【００５４】
送受信部５２は、無線信号の受信を行う受信部の一例である。本実施の形態では、送受信部５２は、例えば、チップアンテナ又はパターンアンテナなどであり、無線信号の送受信を行う。具体的には、送受信部５２は、操作端末などから送信された制御信号を受信する。また、送受信部５２は、受信した制御信号を送信してもよい。
【００５５】
制御部５３は、送受信部５２が受信した制御信号を処理する制御回路である。制御部５３は、例えば、ＩＣ（Ｉｎｔｅｇｒａｔｅｄ  Ｃｉｒｃｕｉｔ）チップなどの１以上の回路素子から構成されている。
【００５６】
送受信部５２は、基板５１の長手方向の一方端側に偏った位置に設けられている。制御部５３は、基板５１の長手方向の他方端側に偏った位置に設けられている。本実施の形態では、送受信部５２と制御部５３とは、基板５１の同じ主面に実装されているが、互いに異なる主面に配置されていてもよい。
【００５７】
コネクタ５４は、無線通信モジュール５０と電源ユニット７０との電気的な接続を行うための素子である。コネクタ５４は、例えば、メス型のコネクタであり、電源ユニット７０が有するオス型のコネクタ７３が差し入れられる。これにより、無線通信モジュール５０と電源ユニット７０とが電気的に接続され、制御信号を電源ユニット７０に伝達することができる。
【００５８】
無線通信モジュール５０は、図３〜図７から分かるように、器具本体１０に固定されている。具体的には、無線通信モジュール５０は、送受信部５２が器具本体１０の前方に位置し、かつ、基板５１が器具本体１０の載置面１１に交差する姿勢で、器具本体１０に固定されている。
【００５９】
本実施の形態では、無線通信モジュール５０は、器具本体１０に設けられた貫通孔１２に挿入されている。例えば、器具本体１０の貫通孔１２の近傍には、図２に示すように、ネジ穴１６が設けられている。ネジ穴１６に、樹脂ケース６０を固定するためのネジ６３及び６４（図８参照）がネジ入れられることで、樹脂ケース６０が器具本体１０に固定される。
【００６０】
無線通信モジュール５０は、樹脂ケース６０に収納されて、図３から分かるように、載置面１１を正面視した場合において、環状に設けられた発光モジュール２０の内側に位置している。具体的には、無線通信モジュール５０は、円環状に設けられた発光モジュール２０及び光源カバー３０の内周部と、器具本体１０の貫通孔１４との間に位置している。このとき、基板５１の主面は、環状の発光モジュール２０の径方向に沿っている。具体的には、基板５１は、貫通孔１４の中心軸（照明器具１の光軸に相当する）を中心として直線状に延びる放射方向の１つに、主面が平行になるように配置されている。
【００６１】
図９は、本実施の形態に係る照明器具１の通信範囲５５を模式的に示す下面図である。図９では、通信範囲５５を網掛けで模式的に示している。なお、図９に示す通信範囲５５は、無線通信モジュール５０を独立して配置したときの通信範囲（仕様上の通信範囲）を模式的に示したものであり、器具本体１０などの他の部材の影響を考慮していない通信範囲である。
【００６２】
本実施の形態では、無線通信モジュール５０は、無線通信の通信範囲５５に指向性を有する。通信範囲５５は、無線通信モジュール５０の送受信部５２が無線信号を送受信可能な範囲である。具体的には、無線通信モジュール５０は、基板５１の両側に通信範囲５５が形成されている。
【００６３】
例えば、通信範囲５５は、基板５１の主面（ｘｚ面）の両側において、主面に直交する方向（ｙ軸方向）に延びており、主面に平行な方向（ｘ軸方向）にはほとんど形成されていない。具体的には、無線通信モジュール５０の送受信部５２は、基板５１の主面に直交する方向の無線信号を送受信可能である。一方で、送受信部５２は、基板５１の主面に平行な方向の無線信号をほとんど送受信できない。通信範囲５５の大きさ（最大距離）は、特に限定されないが、例えば、照明器具１が設置される空間（部屋）の大きさであり、数ｍ〜数十ｍである。
【００６４】
［樹脂ケース］
樹脂ケース６０は、内部に無線通信モジュール５０を収納する筐体である。樹脂ケース６０は、図８に示すように、第１筐体６１と、第２筐体６２とを備える。
【００６５】
第１筐体６１及び第２筐体６２はそれぞれ、扁平な略直方体状（トレイ状）の箱体であり、主面が開放されている。第１筐体６１及び第２筐体６２は、間に無線通信モジュール５０を挟んで、開放された主面を合わせるようにして組み合わされる。第１筐体６１と第２筐体６２とは、一方に設けられた複数の爪部６１ａと、他方に設けられた複数の凹部６２ａとが互いに係止することで、互いに固定される。
【００６６】
図８に示すように、第２筐体６２は、切り欠き状の貫通孔６２ｃが設けられた凸部６２ｂを有する。図４に示すように、ネジ６４が、貫通孔６２ｃを介して器具本体１０に設けられたネジ穴１６にネジ入れられることで、第２筐体６２が器具本体１０に固定される。図８には示していないが、第１筐体６１も同様に、切り欠き状の貫通孔が設けられた凸部を有し、ネジ６３がネジ入れられる。
【００６７】
第２筐体６２には、さらに、開口６２ｄが設けられている。開口６２ｄは、無線通信モジュール５０のコネクタ５４を露出させるために設けられている。これにより、無線通信モジュール５０を樹脂ケース６０に収納した状態で、コネクタ５４にコネクタ７３を差し入れることができる。
【００６８】
本実施の形態では、樹脂ケース６０は、透光性を有する。すなわち、樹脂ケース６０は、発光モジュール２０から発せられた白色光（可視光）に対して透過性を有する。
【００６９】
樹脂ケース６０は、例えば、アクリル、ポリカーボネートなどの透明樹脂材料を用いて形成されている。具体的には、第１筐体６１及び第２筐体６２の各々が、樹脂材料を用いた射出成形などによって一体に形成されている。
【００７０】
［電源ユニット］
電源ユニット７０は、発光モジュール２０を点灯させるための電力を生成するための電源装置である。電源ユニット７０は、例えば、系統電源又は蓄電池などの外部の電源から引掛シーリングボディ及びアダプタ（図示せず）を介して供給される交流電力を直流電力に変換して発光モジュール２０に供給する。
【００７１】
電源ユニット７０は、具体的には、発光モジュール２０の点灯（全点灯）及び消灯を制御する。電源ユニット７０は、発光モジュール２０の調光又は調色を行ってもよい。
【００７２】
例えば、電源ユニット７０は、無線通信モジュール５０が受信した照明制御信号に基づいて、発光モジュール２０に供給する電力量を調整する。照明制御信号が発光モジュール２０の点灯指示を含む場合、電源ユニット７０は、発光モジュール２０に電力を供給することで、発光モジュール２０を点灯させる。照明制御信号が発光モジュール２０の消灯指示を含む場合、電源ユニット７０は、発光モジュール２０への電力の供給を停止することで、発光モジュール２０を消灯させる。照明制御信号が発光モジュール２０の調光比又は色温度を選択する指示を含む場合、電源ユニット７０は、照明制御信号に含まれる指示によって選択された調光比又は色温度の光を発光モジュール２０が発するように制御する。
【００７３】
図５及び図７に示すように、電源ユニット７０は、例えば、回路基板７１と、複数の回路素子７２と、コネクタ７３と、筐体７４とを備える。回路基板７１は、例えば、プリント配線基板であり、複数の回路素子７２及びコネクタ７３を電気的に接続する金属配線が設けられている。複数の回路素子７２は、例えば、整流回路素子、検知抵抗、ヒューズ素子、抵抗、コンデンサ、チョークコイル、ダイオード又はトランジスタなどである。
【００７４】
コネクタ７３は、電源ユニット７０と無線通信モジュール５０との電気的な接続を行うための素子である。コネクタ７３は、一方の端部が回路基板７１に接続され、他方の端部に、コネクタ５４に差入可能なオス型の差込端子を有する。
【００７５】
筐体７４は、複数の回路素子７２が実装された回路基板７１を収納する筐体である。筐体７４は、器具本体１０側の面が開放された略直方体状（トレイ状）の筐体である。筐体７４は、器具本体１０の載置面１１の反対側に、ネジを用いて固定されている。
【００７６】
［効果など］
以上のように、本実施の形態に係る照明器具１は、前方に光を出射するように発光モジュール２０（発光部）が載置される載置面１１を有する器具本体１０と、無線通信を行うことで、発光モジュール２０を制御するための制御信号を受信する無線通信モジュール５０とを備え、無線通信モジュール５０は、基板５１と、基板５１に設けられ、制御信号を受信する送受信部５２とを有し、送受信部５２が器具本体１０の前方に位置し、かつ、基板５１が器具本体１０の載置面１１に交差する姿勢で、器具本体１０に固定されている。
【００７７】
これにより、送受信部５２が器具本体１０の前方に位置しており、送受信部５２を器具本体１０の前方側に露出させることができる。したがって、器具本体１０が金属材料などの無線信号（電波）を通さない材料から形成されている場合であっても、送受信部５２は、無線信号を受信することができる。
【００７８】
また、無線通信モジュール５０の通信範囲は、例えば、送受信部５２を中心として基板５１の両側に形成される。例えば、図９で示したように、無線通信モジュール５０は、基板５１の主面に対して直交する方向に受信感度が強くなり、基板５１の主面に平行な方向には受信感度が弱くなるような通信範囲５５を有する。このため、基板５１を器具本体１０の載置面１１に平行になるように配置した場合、基板５１の両側に形成される通信範囲５５の一方しか利用できず、通信性能が低下する。
【００７９】
これに対して、本実施の形態では、無線通信モジュール５０は、基板５１が載置面１１に交差する姿勢で器具本体１０に固定されているので、基板５１の両側の通信範囲５５を利用することができる。特に、基板５１が載置面１１に直交する場合には、基板５１の両側の通信範囲５５を十分に利用することができ、通信性能を高めることができる。
【００８０】
また、送受信部５２が器具本体１０の前方側に露出しているので、載置面１１に載置される発光モジュール２０からの発熱の影響を抑制することができる。また、図５に示したように、電源ユニット７０が載置面１１の反対側に設けられている場合には、送受信部５２を電源ユニット７０から離すことができるので、電源ユニット７０からの発熱の影響も抑制することができる。このように、発光モジュール２０及び／又は電源ユニット７０で発生した熱が送受信部５２に伝わるのを抑制することができ、通信性能の低下を抑制することができる。
【００８１】
以上のように、本実施の形態に係る照明器具１によれば、無線通信の通信性能の低下を抑制することができる。
【００８２】
ところで、載置面１１より前方は、発光モジュール２０からの光出射側である。このため、無線通信モジュール５０の載置面１１より前方に位置する部分は、発光モジュール２０から出射された光を遮り、光取り出し効率の低下を招く恐れがある。
【００８３】
これに対して、本実施の形態では、例えば、器具本体１０には、載置面１１を貫通する貫通孔１２が設けられ、無線通信モジュール５０は、貫通孔１２に挿入されている。
【００８４】
これにより、無線通信モジュール５０が貫通孔１２に挿入されているので、載置面１１より前方に露出した部分を少なくすることができる。したがって、光取り出し効率の低下を抑制することができる。
【００８５】
また、例えば、基板５１は、長尺であり、送受信部５２は、基板５１の長手方向の一方端側に偏った位置に設けられ、無線通信モジュール５０は、さらに、基板５１の長手方向の他方端側に偏った位置に設けられ、送受信部５２が受信した制御信号を処理する制御部５３を有し、載置面１１は、基板５１の長手方向において、送受信部５２と制御部５３の少なくとも一部との間に位置している。
【００８６】
これにより、例えば、送受信部５２を載置面１１の前方に露出させ、かつ、制御部５３の大部分を載置面１１の反対側（器具本体１０の裏側）に収納することができる。つまり、載置面１１から露出した部分をできるだけ少なくすることができるので、光取り出し効率の低下を抑制することができる。
【００８７】
また、例えば、照明器具１は、さらに、載置面１１の反対側に配置され、発光モジュール２０を点灯させるための電力を供給する電源ユニット７０を備え、電源ユニット７０は、回路基板７１を有し、無線通信モジュール５０は、コネクタ７３を介して回路基板７１に接続されている。
【００８８】
これにより、コネクタ７３を利用して、無線通信モジュール５０を電源ユニット７０の回路基板７１に接続することができる。例えば、長いケーブルなどを利用しなくて済むので、部品点数を削減することができる。また、ケーブルの切断などによる信頼性の低下を抑制することができる。
【００８９】
また、例えば、載置面１１を正面視した場合において、発光モジュール２０は、環状に設けられ、無線通信モジュール５０は、環状に設けられた発光モジュール２０の内側に位置している。
【００９０】
これにより、無線通信モジュール５０が環状の発光モジュール２０の内側に位置しているので、発光モジュール２０が影になりにくい。例えば、ユーザが照明器具１を側方から見たときに、無線通信モジュール５０が奥に位置し、発光モジュール２０の一部が手前に位置している。このため、発光モジュール２０が光った場合には、発光モジュール２０の手前の部分からの光がユーザの眼に入る。したがって、光の取り出し効率の低下を抑制することができる。
【００９１】
また、例えば、基板５１は、載置面１１に直交し、基板５１の主面は、環状に設けられた発光モジュール２０の径方向に沿っている。
【００９２】
これにより、基板５１が載置面１１に直交しているので、基板５１の両側の通信範囲を十分に利用することができ、通信性能を高めることができる。また、基板５１の主面が環状の発光モジュール２０の径方向に沿っているので、光取り出し効率の低下を抑制することができる。
【００９３】
（その他）
以上、本発明に係る照明器具について、実施の形態に基づいて説明したが、本発明は、上記の実施の形態に限定されるものではない。
【００９４】
例えば、上記の実施の形態では、発光部（複数の発光モジュール２０）が環状に設けられ、平面視において、環の内部に無線通信モジュール５０が配置されている例について示したが、これに限らない。例えば、発光モジュール２０は、円形又は正方形の領域の全体を埋めるように設けられていてもよい。この場合、無線通信モジュール５０は、正面視において、発光モジュール２０の外側、具体的には、発光モジュール２０の周に沿った一部領域に配置されていてもよい。
【００９５】
また、例えば、上記の実施の形態では、載置面１１を貫通する貫通孔１２に無線通信モジュール５０が挿入されている例について示したが、これに限らない。例えば、無線通信モジュール５０は、器具本体１０に設けられた凹部に固定されていてもよい。また、例えば、無線通信モジュール５０は、載置面１１の外周に沿った周縁部１３に設けられていてもよい。図６などに示すように、周縁部１３は、載置面１１より後方に位置しているので、無線通信モジュール５０の、載置面１１より前方に突出した部分が少なくなる。したがって、無線通信モジュール５０によって光が遮られるのを抑制することができ、光取り出し効率の低下を抑制することができる。
【００９６】
また、例えば、上記の実施の形態では、無線通信モジュール５０の基板５１が長尺である例について示したが、これに限らない。例えば、基板５１の正面視形状は、正方形又は円形でもよい。送受信部５２と制御部５３とは、正方形状の基板５１の主面に並んで配置されていてもよい。この場合、無線通信モジュール５０は、例えば、送受信部５２が制御部５３より下側（光出射側）になる姿勢で器具本体１０に固定されていてもよい。
【００９７】
また、例えば、上記の実施の形態では、無線通信モジュール５０は、送受信機能を有する例について示したが、これに限らない。例えば、無線通信モジュール５０は、信号の受信機能のみを有し、送信機能を有していなくてもよい。具体的には、無線通信モジュール５０は、送受信部５２ではなく、無線信号の受信のみを行う受信部を備えてもよい。
【００９８】
また、例えば、上記の実施の形態では、発光モジュール２０がＬＥＤを備える例について示したが、これに限らない。例えば、発光モジュール２０は、有機ＥＬ（Ｅｌｅｃｔｒｏ  Ｌｕｍｉｎｅｓｃｅｎｃｅ）素子又はレーザ素子などを備えてもよい。
【００９９】
また、例えば、上記の実施の形態では、照明器具１がシーリングライトである例について示したが、これに限らない。例えば、照明器具１は、ダウンライト又はペンダントライトなどでもよい。
【０１００】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１０１】
１  照明器具
１０  器具本体
１１  載置面
１２  貫通孔
２０  発光モジュール（発光部）
５０  無線通信モジュール（無線通信部）
５１  基板
５２  送受信部（受信部）
５３  制御部
７０  電源ユニット
７１  回路基板
７３  コネクタ
【図１】
2018056007.tif 000003
【図２】
2018056007.tif 000004
【図３】
2018056007.tif 000005
【図４】
2018056007.tif 000006
【図５】
2018056007.tif 000007
【図６】
2018056007.tif 000008
【図７】
2018056007.tif 000009
【図８】
2018056007.tif 000010
【図９】
2018056007.tif 000011